(57)【特許請求の範囲】
【請求項１】
床に固定された定置物と離間して設けられた机と、該机と前記定置物との間で前記床に固定され、前記定置物との間に利用者の通路を確保可能とする椅子とを備えたデスクシステムにおいて、
前記椅子が、
前記床に固定された支持部と、
前部で前記支持部に前記床に沿う第一軸回りに回動可能に支持され、着座した利用者を下方から支持可能な座面を具備した座部と、
前記座部の前記前部と反対側の後端部に支持され、着座した利用者を後方から支持可能な背面を具備した背板部と、
前記背板部に回動可能に支持されるとともに、移動範囲が制限された支持軸とを有し、
前記座部が、前記前部から前記後端部に向かうに従って上方へ向かうように傾斜した待機位置に位置するとともに、利用者が着座することで前記待機位置から下方へと回動させて利用者を支持可能な着座位置まで、前記第一軸回りに回動可能とされ、
前記背板部が、前記座部が前記待機位置に位置した状態で前記定置物との間に前記通路を確保した退避位置に位置するとともに、利用者が着座することで前記退避位置から後方へと回動させて利用者を支持可能な支持位置まで、前記床に沿う軸回りに回動可能とされ、
前記背板部は、前記支持軸の前記移動範囲が制限されることで、前記支持位置よりも後方に後傾しないように構成されていることを特徴とするデスクシステム。
【請求項２】
請求項１に記載のデスクシステムにおいて、
前記背板部は、前記座部の前記後端部に、前記床に沿う第二軸回りに回動可能に支持され、該第二軸回りに回動することで、前記支持位置まで回動とされていることを特徴とするデスクシステム。
【請求項３】
請求項１または請求項２に記載のデスクシステムにおいて、
前記支持部は、前記座部を鉛直軸回りに回動可能に支持していることを特徴とするデスクシステム。
【請求項４】
請求項３に記載のデスクシステムにおいて、
前記支持部は、前記背板部を前記机側に向ける正面位置に付勢する付勢部を備えることを特徴とするデスクシステム。
【請求項５】
請求項１から請求項３のいずれか一項に記載のデスクシステムにおいて、
前記背板部は、前記退避位置で、前記背面が、前記机と前記椅子とが並ぶ前後方向に直交する鉛直面と平行、または、前記鉛直面よりも後方に傾斜していることを特徴とするデスクシステム。
【請求項６】
請求項１から請求項４のいずれか一項に記載のデスクシステムにおいて、
前記机と前記椅子とが、該机と該椅子とが並ぶ前後方向に連続して複数組設けられ、前記机の前方に配置される前記椅子は、当該机を前記定置物として、当該机との間に前記通路を確保可能に設けられていることを特徴とするデスクシステム。
【発明の詳細な説明】
【技術分野】
【０００１】
本発明は、デスクシステムに関するものである。
【背景技術】
【０００２】
従来より、大学等の教室や会議室等で使用される机と椅子としては、床面に固着された机と、該机の後方であって床面に固着された椅子とを備えるものが広く用いられている。
【０００３】
上記の構成の椅子としては、例えば、床面から立設された脚体と、該脚体をリンク機構により支持するとともに着座していない状態で背もたれ側に上向きに傾斜した座と、座の後端に回動可能に設けられた背もたれとを備えるものがある（特許文献１参照）。
このような椅子では、使用者が座に腰掛ければリンク機構により、座の前方側が上がり後方側が下がって座が略水平状態となるとともに、背もたれが回動して後傾することにより、使用者は着座可能となる。
【０００４】
また、床面上に固定された基部と、該基部から回動可能に立設された脚部と、該脚部に一体的に支持されて着座していない状態で前方に傾斜した座及び背もたれとを有する椅子も知られている（下記特許文献２参照）。
このような椅子では、使用者が座に腰掛ければ脚部が後方に回動されて、座が略水平状態となるまで座及び背もたれが後方に傾斜し、使用者が着座可能となる。
【０００５】
上記の特許文献１及び２に記載の椅子では、着座した状態で背もたれが後傾するように構成されているため、着座していない時には背もたれの後方空間を大きく確保することができる。よって、椅子の後方に机が配設された場合でも、椅子の後方の通路幅を確保することができるという長所があった。
【先行技術文献】
【特許文献】
【０００６】
【特許文献１】特開２０１０−２７３７６８号公報
【特許文献２】特許３７５１８０２号公報
【発明の概要】
【発明が解決しようとする課題】
【０００７】
しかしながら、上記の特許文献１及び２に記載の椅子の構成では、着座する際には座が回動し、利用者の膝裏が位置する座の前部が大きく移動するため、着座時に机と当該椅子の距離感を認識することが困難であり、安心して着座することができないという問題点があった。
【０００８】
本発明は、上記事情に鑑みてなされたものであり、椅子の後方に通路を確保するとともに、着座していない状態からから着座する状態となるまでに座の前部の位置を大きく変化させることなく、安定的に着座可能とするデスクシステム提供するものである。
【課題を解決するための手段】
【０００９】
上記目的を達成するために、本発明は以下の手段を採用している。
すなわち、本発明に係るデスクシステムは、床に固定された定置物と離間して設けられた机と、該机と前記定置物との間で前記床に固定され、前記定置物との間に利用者の通路を確保可能とする椅子とを備えたデスクシステムにおいて、前記椅子が、前記床に固定された支持部と、前部で前記支持部に前記床に沿う第一軸回りに回動可能に支持され、着座した利用者を下方から支持可能な座面を具備した座部と、前記座部の前記前部と反対側の後端部に支持され、着座した利用者を後方から支持可能な背面を具備した背板部と、前記背板部に回動可能に支持されるとともに、移動範囲が制限された支持軸とを有し、前記座部が、前記前部から前記後端部に向かうに従って上方へ向かうように傾斜した待機位置に位置するとともに、利用者が着座することで前記待機位置から下方へと回動させて利用者を支持可能な着座位置まで、前記第一軸回りに回動可能とされ、前記背板部が、前記座部が前記待機位置に位置した状態で前記定置物との間に前記通路を確保した退避位置に位置するとともに、利用者が着座することで前記退避位置から後方へと回動させて利用者を支持可能な支持位置まで、前記床に沿う軸回りに回動可能とされ、前記背板部は、前記支持軸の前記移動範囲が制限されることで、前記支持位置よりも後方に後傾しないように構成されていることを特徴とする。
【００１０】
このようなデスクシステムでは、背板部が退避位置に位置することにより、椅子と定置物との間に利用者の通路を確保することができる。
また、このような背板部が退避位置に位置するとともに座部が待機位置に位置する着座していない状態から、利用者が着座して座部が着座位置に位置する状態までに、座部の前部は第一軸回りに回動するだけであるため、その位置は大きく変化しない。よって、利用者を安定的に着座可能とすることができる。
【００１１】
また、本発明に係るデスクシステムでは、前記背板部は、前記座部の前記後端部に、前記床に沿う第二軸回りに回動可能に支持され、該第二軸回りに回動することで、前記支持位置まで回動とされていてもよい。
【００１２】
この構成では、背板部が第二軸回りに回動し支持位置まで後方に回動するため、利用者を後傾姿勢で安定的に支持して着座可能とすることができる。
【００１３】
さらに、本発明に係るデスクシステムは、前記支持部は、前記座部を鉛直軸回りに回動可能に支持していることが好ましい。
【００１４】
この構成によれば、座部を鉛直軸回りに回動させれば、椅子の横方向又は後方から着座することができるため、使い勝手を良好とすることができる。
【００１５】
また、本発明に係るデスクシステムは、前記支持部は、前記背板部を前記机側に向ける正面位置に付勢する付勢部を備えることが好ましい。
【００１６】
この構成によれば、付勢部により背板部は正面位置に付勢されており、着座時には利用者は正面位置を向くことができるため、安定的に着座可能とし、使い勝手を良好とすることができる。
【００１７】
また、本発明に係るデスクシステムでは、前記背板部は、前記退避位置で、前記背面が、前記机と前記椅子とが並ぶ前後方向に直交する鉛直面と平行、または、前記鉛直面よりも後方に傾斜していることを特徴とする。
【００１８】
この構成によれば、背板部の背面が鉛直面と平行、または、該鉛直面よりも後方に傾斜しているため、利用者にとって楽な姿勢で支持することができる。よって、利用者の使い勝手を良好とすることができる。
【００１９】
また、本発明に係るデスクシステムでは、前記机と前記椅子とが、該机と該椅子とが並ぶ前後方向に連続して複数組設けられ、前記机の前方に配置される前記椅子は、当該机を前記定置物として、当該机との間に前記通路を確保可能に設けられていることを特徴とする。
【００２０】
この構成によれば、机と前方に配置される椅子との間に、利用者の通路を確実に確保することができる。
【発明の効果】
【００２１】
本発明に係るデスクシステムによれば、椅子の後方に通路を確保するとともに、着座していない状態からから着座する状態となるまでに座の前部の位置を大きく変化させることなく、安定的に着座可能とすることができる。
【図面の簡単な説明】
【００２２】
【図１】本発明の一実施形態に係るデスクシステムの概略全体図である。
【図２】本発明の一実施形態に係るデスクシステムを構成する椅子の座部が待機位置に位置している場合の椅子の側面図である。
【図３】本発明の一実施形態に係るデスクシステムを構成する椅子の（ａ）座部が待機位置に位置している場合、（ｂ）座部が着座位置に位置している場合、（ｃ）背板部が支持位置に位置している場合のデスクシステムの側面図である。
【図４】本発明の一実施形態に係るデスクシステムを構成する椅子の座部が着座位置に位置している場合の椅子の側面図である。
【図５】本発明の一実施形態に係るデスクシステムを構成する椅子の背板部が支持位置に位置している場合の椅子の側面図である。
【図６】本発明の一実施形態に係るデスクシステムを構成する椅子の背板部が退避位置にある場合の要部の断面図である。
【図７】本発明の一実施形態に係るデスクシステムを構成する椅子の要部の斜視図である。
【図８】本発明の一実施形態に係るデスクシステムを構成する椅子の背板部が支持位置にある場合の要部の断面図である。
【図９】本発明の一実施形態に係るデスクシステムを構成する椅子が回転する構成を説明する図である。
【図１０】本発明の一実施形態に係るデスクシステムの平面図である。
【発明を実施するための形態】
【００２３】
以下、本発明の一実施形態に係るデスクシステムについて説明する。
図１に示すように、デスクシステム１は、床Ｆに固定され、所定の間隔に離間して配された複数の机１１と、該それぞれの机１１の後方に配され床Ｆに固定された椅子２とを備えており、利用者が該椅子２に着座して執務を可能としている。ここで、椅子２と該椅子２の後方に配される机１１（定着物）との間には、利用者の通行を可能とする通路Ｐが確保されている。
なお、椅子２に利用者が着座して正面を向く側（図１に示す右手間側）を前方とし、反対側（図１に示す左奥側）を後方とし、椅子２が隣接して配設される方向（図１に示す右奥から左手前に沿う方向）を左右方向とする。
【００２４】
机１１は、左右方向に離間して配された一対の脚部１２と、該脚部１２の上部に載置された天板１３と、脚部１２の前部に配された前パネル１４とを備えている。
脚部１２は、床Ｆに沿って配された基台１５と、該基台１５から立設し天板１３を支持する支持脚１６とを有している。
天板１３は、平面視して略矩形であった、左右方向に幅広に形成されている。
前板パネルは、一対の脚部１２の前部にわたって配されている。
【００２５】
図２に示すように、椅子２は、床Ｆに固定された支持部２１と、支持構造４０を介してその前部が支持部２１に支持された座部２２と、座部２２の後端部から立設された背板部２３と、支持部２１の内部に配されたオートリターン機構５０とを備えている。
ここで、椅子２は、詳細については後述する支持構造４０により、図３（ａ）に示す利用者が座部２２に着座していない第一状態から、図３（ｂ）示す利用者が座部２２に着座した第二状態、図３（ｃ）に示す利用者が座部２２に着座し背板部２３を後傾させた第三状態まで変形可能とされている。
【００２６】
図２に示すように、支持部２１は、床Ｆに固定され平面視して略円形状のベース部２６と、該ベース部２６から立設された立設部２７と、該立設部２７の上端に設けられ平面視して前方に拡開した一対の支持本体２８とを有している。
一対の支持本体２８は、立設部２７の上端に設けられ、前方に向かうにしたがって上方に向かうように延在し、その先端は座部２２の裏面に取り付けられている。
【００２７】
座部２２は、着座した利用者を下方から支持可能な座面２２Ａを有しており、支持本体２８の前部に設けられ、床Ｆに沿って左右方向を軸線方向とする第一軸３１回りに回動可能に支持されている。
すなわち、座部２２は、利用者が着座することで、図２に示す前部から後端部に向かうに従って上方へ向かうように傾斜した待機位置から、図４に示す第一軸３１回りに回動して利用者を支持可能な着座位置まで移動する。本実施形態では、着座位置では、座面２２Ａは略水平状態とされている。
【００２８】
図２に示すように、背板部２３は、着座した利用者を後方から支持可能な背面２３Ａを有しており、座部２２の後端部に設けられ、床Ｆに沿って左右方向を軸線方向とする第二軸３２回りに回動可能に支持されている。
すなわち、背板部２３は、利用者が着座することで、図３（ａ）に示す下部から上部に向かうに従って後方へ向かうように傾斜した（後方の机１１との間に通路Ｐを確保した）退避位置の位置から、図３（ｃ）及び図５に示す第二軸３２回りに回動してさらに後傾し、利用者を支持可能な支持位置まで移動する。
また、背面２３Ａは、退避位置において、前後方向と直交する鉛直面よりも後方に傾斜している。
【００２９】
図６に示すように、支持構造４０は、座部２２を上向きに付勢する付勢手段４１と、背板部２３を回動可能に支持するリンク機構７１と、座部２２を待機位置よりも下方に移動することを規制する座部規制手段９１とを備えている。
【００３０】
付勢手段４１は、支持本体２８と座部２２とを連結するガススプリング４２と、左右一対の板ばね部材４３とを有している。
【００３１】
ガススプリング４２は、その一端が左右方向を軸線方向とする第三軸３３を介して支持本体２８に連結され、他端が左右方向を軸線方向とする第四軸３４を介して座部２２の裏面に連結されている。また、ガススプリング４２は伸張する方向に付勢しており、これにより座部２２は、利用者が着座していない状態で常時退避位置に位置するように付勢されている。
なお、ガススプリング４２の他に圧縮コイルばね、オイルダンパ、エアダンパ等適宜採用可能である。
【００３２】
図７に示すように、板ばね部材４３は、側面視して前方に向かって開口するように形成され、後方が湾曲したＵ字状の部材である。また、板ばね部材４３は、座部２２（図６参照。以下同じ。）の裏面に固着された上側ばね部４６と、第三軸３３を介して支持本体２８（図６参照。以下同じ。）に止着された下側ばね部４７と、上側ばね部４６と下側ばね部４７とを連結する湾曲した湾曲部４８とを有している。
【００３３】
リンク機構７１は、第三軸３３を介して支持本体２８に連結されたケース部材７２と、該ケース部材７２に設けられた左右方向を軸線方向とする後述する第五軸３５及び第六軸（支持軸）３６を介して該ケース部材７２に配設された一対の圧縮ばね部材８１とを有している。
【００３４】
ケース部材７２は、上側が開口した箱状部材であって、底部７３と、該底部７３から立設された一対の側壁部７４及び後壁部７５とを有しており、内部にガススプリング４２を配設している。また、ケース部材７２の後方の上面は、座部２２の裏面に近接又は当接している。
側壁部７４の前部には挿通孔７６が穿設され、該挿通孔７６に第三軸３３が挿通されるとともに、該第三軸３３に連結されたガススプリング４２を該一対の側壁部７４間に挿入配置している。
【００３５】
圧縮ばね部材８１は、ケース部材７２の内部に配設され、前方から後方に向かって配設されたばね保持板８２と、該ばね保持板８２の外周に巻回された第一コイルバネ８３と、該ばね保持板８２の前部に設けられた第五軸３５と、該ばね保持板８２の後部に設けられた第六軸３６とを有している。
ばね保持板８２には、前部に第五軸挿通孔８４が形成され、該第五軸挿通孔８４に第五軸３５が挿通されている。また、ばね保持板８２には、後部に第六軸挿通孔８５が形成され、該第六軸挿通孔８５に第六軸３６が挿通されている。
第一コイルバネ８３は、伸縮可能に設けられ伸張方向に付勢している。
第五軸３５は、左右方向を軸線方向として、その両端部がケース部材７２の側壁部７４に前方且つ下方から後方且つ上方に沿って所定範囲内を移動可能に設けられている。座部２２が待機位置に位置している場合には、該第五軸３５は前方且つ下方に位置している。
第六軸３６は、左右方向を軸線方向として、ケース部材７２の側壁部７４に前方且つ下方から後方且つ上方に沿って所定範囲内を移動可能に設けられるとともに、その両端は背板部２３の下部に回動可能に支持されている。座部２２が待機位置に位置している場合には、該第六軸３６は後方且つ上方に位置している。
また、第一コイルバネ８３が伸張する方向に付勢していることにより、背板部２３は、利用者が着座していない状態で退避位置に位置するように付勢されている。
【００３６】
図６に示すように、座部規制手段９１は、ケース部材７２の前方側の底部の下面に形成された第一傾斜部９２と、支持本体２８の該第一傾斜部９２と対向する面に形成された第二傾斜部９３とを有している。
第一傾斜部９２は、ケース部材７２の底部７３の下面において、前方から後方に向かうにしたがって上方に向かうように形成された斜面を有している。
第二傾斜部９３は、支持本体２８における第一傾斜部９２と対向する部分において、前方から後方に向かうにしたがって上方に向かうように形成された斜面を有している。
第一傾斜部９２と第二傾斜部９３とは、利用者が着座していない状態で離間して配設されている。
【００３７】
図９（ａ）及び（ｂ）に示すように、オートリターン機構５０は、支持部２１の立設部２７に配設され、上部に設けられた環状体５１と、該環状体５１を貫通して鉛直軸Ｑ回りに回動可能な主軸５２と、該主軸５２の外周に設けられた固定カム５３と、主軸５２の外周であって固定カム５３の下部に設けられた回転カム５４と、主軸５２に巻回された第二コイルバネ５５（付勢部）とを有している。
環状体５１は、平面視環状の部材であり、下部には突起部５６が形成されている。
固定カム５３の上部には、突起部５６と対応する形状の溝部５７が形成され、該溝部５７が突起部５６と係合している。また、固定カム５３の下部には、半周毎に巻方向を異ならせた螺旋面からなる第一カム面６１が形成されている。
回転カム５４は、主軸５２の軸線方向に摺動可能に設けられ、その上部には周毎に巻方向を異ならせた螺旋面からなる第二カム面６２が形成されている。
第二コイルバネ５５は、回転カム５４の下部を上向きに付勢している。
【００３８】
次に、椅子２が第一状態から第三状態まで移動する動作について説明する。
まず、図２に示すように、第一状態では、座部２２は待機位置に位置し、背板部２３は退避位置に位置している。
この状態で利用者が座部２２に着座すると、座部２２に作用した利用者の重力により、板ばね部材４３は、図４に示すように上側ばね部４６と下側ばね部４７との間隔が狭まり、これにより下側ばね部４７の後方側は後上方に押し上げられ、湾曲部４８は座部２２の裏面に沿って漸次後方に移行するように弾性変形する。
また、座部２２は利用者の重力により第一軸３１を中心として下向きに回動し、着座位置となる第二状態まで移動する。
ここで、リンク機構７１が下方に移動するにともない、第一傾斜部９２の下面が第二傾斜部９３の上面と当接し、ケース部材７２は該当接した位置よりも下方に移動することが規制される（不図示。）。
また、リンク機構７１は下方に移動するのみで第一コイルバネ８３に圧縮力は作用しないため、背板部２３は第一コイルバネ８３の初期の付勢力により図３（ｂ）に示すように床Ｆに対する傾斜角度は第一状態と略同一である。
【００３９】
次に、図４に示す第二状態から利用者が背板部２３に後傾すると、図８に示すように、背板部２３に支持させている第六軸３６が前方且つ下方に移動するとともに、第一コイルバネ８３が圧縮される。このようにして、背板部２３は第二軸３２を中心として回動して支持位置まで後傾した図８に示す第三状態となる。ここで、第六軸３６の移動範囲が制限されているため、背板部２３は支持位置よりも後方に後傾することはない。
第三状態では、座部２２は着座位置に位置し、背板部２３は支持位置に位置している。
【００４０】
また、第三状態から利用者が背板部２３から前傾すると、第一コイルバネ８３の付勢力により伸張し、背板部２３は第二軸３２を中心として回動して前傾し第二状態となる。
【００４１】
次に、第二状態から利用者が起立すると、ガススプリング４２と板ばね部材４３との付勢力により、座部２２は第一軸３１を中心として回動して図２に示す第一状態となる。
【００４２】
次に、椅子２の水平方向の回動について説明する。
利用者が着座していない状態では、第二コイルバネ５５の付勢力により図６（ａ）に示すように、固定カム５３の第一カム面６１の曲面部分と回転カム５４の第二カム面６２の曲面部分とが圧接している状態である。このとき、椅子２は図７において実線で示す背板部２３の背面２３Ａを前方の机１１側に向けた正面位置に位置している。
【００４３】
この状態から利用者が椅子２を水平方向に回動させる方向に力を加えると、図６（ｂ）に示すように、支持部２１の主軸５２が鉛直軸Ｑ回りに回動し、これにともない回転カム５４が回転する。このとき、第二カム面６２は第一カム面６１から反力を受け、第一カム面６１の曲面部分と第二カム面６２の曲面部分とが離間した状態、すなわち回転カム５４が下方に移動した状態となり、第二コイルバネ５５は圧縮される。これにより、椅子２は図１０の二点鎖線で示すように、背面２３Ａを左右方向に向けた左右位置に回転する。
【００４４】
この状態から利用者が椅子２に加えた回動方向の力を解除すると、第二コイルバネ５５の付勢力により、回転カム５４は主軸５２とともに回転して第一カム面６１と第二カム面６２とが圧接した図６（ａ）に示す正面位置に戻る。
【００４５】
このように構成されたデスクシステム１では、利用者が着座していない第一状態では、図３（ａ）に示すように、背板部２３は退避位置にあるため、後方の机１１との間で通路Ｐを確保することができる。
また、利用者が着座すれば、座部２２は略水平状態の着座位置に位置する第二状態となり、後傾すれば背板部２３は第二軸３２を中心として回動し後傾して第三状態となり、利用者は背板部２３で背中を支持される。よって、背板部２３に重心をかけて安定的に着座して、前方の机１１を使用して執務を行うことができる。
【００４６】
ここで、第一状態から第二状態に移動する際に、座部２２が第一軸３１回りに回動することにともない背板部２３は下方に移動するのみであるため、退避位置から最小限の可動範囲で着座可能とすることができる。
また、第一状態から第二状態に移動する際に、座部２２の前部は第一軸３１回りに回動するだけであり、その位置の移動量を抑えることができる。よって、利用者は、着座する際に下肢を配置するべき座部２２の前部よりも前方の位置に下肢を配置した後、座面２２Ａに腰を落とすだけで確実に座面２２Ａに支持されることとなり、狭いスペースでも安心して着座することができる。
さらに、座部２２は第一状態で前部から後端部に向かうに従って上方に向かうように傾斜して設けられているため、利用者が起立位置から着座位置まで移動する動作のうち早い段階で座面２２Ａと接触することができ、接触後は座部２２の移動に従って降下していくだけである。よって、この点においても狭いスペースでも安心して着座することができる。
【００４７】
また、背面２３Ａは、第一状態で鉛直面よりも後方に傾斜しており、第二状態においても下方に移動するのみであるためその角度は変わらない。よって、第二状態においても、利用者の背中を後傾姿勢として支持することができるため、利用者にとって楽な姿勢であり安定的に支持することができる。
【００４８】
また、利用者は、第二状態から背板部２３に重心をかければ、該背板部２３は第二軸３２回りに回動して支持位置まで後傾する。よって、利用者にとって楽な姿勢で支持することができるため使い勝手を良好とすることができる。
【００４９】
また、利用者は、椅子２の左右方向の位置に起立して該椅子２を水平方向に回動させれば、該当該位置から着座可能となる。よって、例えば椅子２と前方の机１１との空間部分が狭い場合でも、左右方向の位置からアクセスできるため利便性が高い。
【００５０】
さらに、着座した後には、第二コイルバネ５５により椅子２は正面位置に位置するため、利用者は前方の机１１に向かって着座及び執務可能となり、使い勝手を良好とすることができる。
【００５１】
また、上述した実施の形態において示した動作手順、あるいは各構成部材の諸形状や組み合わせ等は一例であって、本発明の主旨から逸脱しない範囲において設計要求等に基づき種々変更可能である。
【００５２】
例えば、背板部２３の背面２３Ａは鉛直面と平行であってもよい。この状態では、椅子２と定置物との間の通路Ｐを確実に確保することができるとともに、背板部が利用者を支持して安定的に着座することができる。
【００５３】
また、利用者が座部２２に着座することにより、座部２２及び背板部２３が一体として第一軸３１回りに回動し、その後背板部２３に重心をかけることにより背板部２３が第二軸３２回りに回動する構成であってもよい。
さらには、利用者が座部２２に着座する動作から背板部２３に荷重をかける動作に至るまで、座部２２と背板部２３とが一体として第一軸３１回りに回動する構成であってもよい。
これらの場合でも、椅子２と定置物との間に通路Ｐを確保することができるとともに、座部２２の前部の位置が大きく変化させることなく、安定的に着座可能とすることができる。
【００５４】
なお、上述の支持構造４０及びオートリターン機構５０は一例であり、同様に動作するものであれば他の周知の構造、機構を採用してもよい。
【符号の説明】
【００５５】
１…デスクシステム
２…椅子
１１…机（定置物）
２１…支持部
２２…座部
２２Ａ…座面
２３…背板部
２３Ａ…背面
３１…第一軸
３２…第二軸（軸）
５５…第二コイルバネ（付勢部）
Ｆ…床
Ｐ…通路
Ｑ…鉛直軸
【図１】
0005903243.tif 000002
【図２】
0005903243.tif 000003
【図３】
0005903243.tif 000004
【図４】
0005903243.tif 000005
【図５】
0005903243.tif 000006
【図６】
0005903243.tif 000007
【図７】
0005903243.tif 000008
【図８】
0005903243.tif 000009
【図９】
0005903243.tif 000010
【図１０】
0005903243.tif 000011